(57)【要約】      （修正有）【課題】ペットに水を飲ませる装置であって、構造が簡単でコンパクトな濾過部品及び携帯型給水器を提供する。【解決手段】濾過部材トレーと、濾過部材６２０と、を備える濾過部品であって、濾過部材トレーは、若干の濾過穴が設けられる基板６１１１と、基板の周縁に取り囲んで設けられ上まで延伸し、且つ基板と共に取り囲んで設けられて濾過部材取付室を形成している支持壁６１１２と、を含むシャーシー６１１と、シャーシーの上方に設けられ、且つ支持壁の頂部に接続されて、濾過部材取付室に背向する水平方向に沿って延伸して設けられる支持リング６１２と、を含み、濾過部材は濾過部材取付室内に収納される。基板の中部に孔径が１３ｍｍ〜１７ｍｍである中心孔６１１５が設けられ、中心孔の内壁において中心孔の底縁及び頂縁まで滑らかに繋がる円弧面が形成される。【選択図】図１
0003223231.tif 000002
【実用新案登録請求の範囲】
【請求項１】
濾過部材トレーと、濾過部材と、を備える濾過部品であって、
前記濾過部材トレーは、
若干の濾過穴が設けられる基板と、前記基板の周縁に取り囲んで設けられ上まで延伸し、且つ当該支持壁が前記基板と共に取り囲んで設けられて濾過部材取付室を形成している支持壁と、を含むシャーシーと、
前記シャーシーの上方に設けられ、且つ前記支持壁の頂部に接続されて、前記濾過部材取付室に背向する水平方向に沿って延伸して設けられる支持リングと、
を含み、
前記濾過部材は前記濾過部材取付室内に収納されることを特徴とする濾過部品。
【請求項２】
前記基板の中部に孔径が１３ｍｍ〜１７ｍｍである中心孔が設けられ、前記中心孔の内壁において前記中心孔の底縁及び頂縁まで滑らかに繋がる円弧面が形成されることを特徴とする請求項１に記載の濾過部品。
【請求項３】
前記濾過穴が細長い形の構造になり、細長い形の構造になる濾過穴が前記基板から前記支持壁まで延伸し、細長い形の構造になる前記濾過穴の幅が前記基板から前記支持壁の方向へ次第に逓増し、前記支持リングの外端に環状に等距離で配置される若干の凸起が設けられることを特徴とする請求項１に記載の濾過部品。
【請求項４】
開口端を有する貯水カップを含む携帯型給水器において、
前記開口端にかぶせられる請求項１〜３の何れか１項に記載の濾過部品と、
前記貯水カップに取り外し可能に取り付けられ且つ前記開口端にかぶせられ、その内室を進水室及び出水室に分ける仕切り板が内蔵され、側壁に第２取付溝が設けられ、前記仕切り板に前記進水室に向かう第１取付溝が設けられ、前記第１取付溝の溝壁の上、下位に第１通風孔及び第１出水孔が設けられる取付カバーと、
前記仕切り板を摺動して通り抜ける接続柱体、前記接続柱体の一端に固設される密封板、前記接続柱体の他端に固設されるスライダー及び前記接続柱体に嵌設される第１弾性部材を含み、前記第１弾性部材の両端がそれぞれ前記仕切り板及び前記スライダーに当接され、前記密封板が前記第１取付溝内に収納されて前記第１通風孔及び前記第１出水孔を密封し、前記スライダーが前記取付カバーの軸方向に沿って前記仕切り板に近い方向へ摺動する場合、前記接続柱体によって前記密封板を前記第１取付溝から脱離するように推し進め、前記貯水カップ内の水が前記第１出水孔に流れるようにし、前記第１弾性部材がリセットされて前記スライダーを逆方向へ移動するように推し進め、前記スライダーが前記接続柱体及び前記密封板を同方向へ移動するように駆動させ、前記密封板がリセットされて前記第１通風孔及び前記第１出水孔を密封する開閉機構と、
活動が前記第２取付溝内に限定されるボタン部品及び前記ボタン部品と前記第２取付溝の底壁との間に限定される第２弾性部材を含み、前記ボタン部品は、押されると、前記スライダーを前記取付カバーの軸方向に沿って前記仕切り板に近い方向へ摺動するように駆動させ、前記ボタン部品が力を受けていない場合、前記第２弾性部材は前記ボタン部品をリセットするように駆動させるボタン機構と、
一端が前記取付カバーに固定して嵌設され且つその表面に水受けノッチが形成され、前記水受けノッチの側壁上、下位に第２通風孔及び第２出水孔が設けられ、前記第２出水孔と前記第１出水孔とが連通し、前記第２通風孔と前記第１通風孔とが連通する水受け溝と、
を更に含むことを特徴とする携帯型給水器。
【請求項５】
前記ボタン部品は、前記第２取付溝内に収納されるボタンベース、前記ボタンベースの頂上面に設けられるボタン及び前記ボタンベースの底部に固設される駆動柱体を含み、前記第２弾性部材の両端がそれぞれ前記第２取付溝の底壁及び前記ボタンベースの底部に当接され、前記駆動柱体が取付スリーブを貫通して且つ前記スライダーに垂直であり、その末端に前記仕切り板に向かう第１斜面が更に設けられ、前記スライダーの上頂部に前記第１斜面に平行である第２斜面が設けられ、前記第１斜面と前記第２斜面とがぴったりと貼り合わされることを特徴とする請求項４に記載の携帯型給水器。
【請求項６】
前記水受け溝の接続端に円筒部が形成され、前記円筒部の壁面にボタン孔が設けられ、前記ボタン孔は、前記ボタンを前後に活動させることができるように配置され、前記ボタンはボタン孔から露出し且つ活動が前記円筒部の内壁面と前記ボタンベースの頂上面との間に限定されることを特徴とする請求項５に記載の携帯型給水器。
【請求項７】
前記ボタンと前記ボタンベースとが摺動的に接続し、前記ボタンの底部にプラグが固設され、前記ボタンベースの頂上面に細長いガイド孔が設けられ、前記プラグが前記ガイド孔に挿入されて前記ガイド孔内でガイドされ、前記ボタンの両側の何れにも弾性係合臂が設けられ、前記第２取付溝の対向する２つの側壁の同一端の何れにも位置限定部が設けられ、他端の何れにも逃げ部が設けられ、前記逃げ部に係合部が形成され、前記ボタンが前記位置限定部の上方に摺動する場合、前記ボタンは前記弾性係合臂によって前記位置限定部の頂部に限定され、前記ボタンが前記逃げ部の上方に摺動する場合、前記弾性係合臂は前記係合部に係合され、前記ボタンは、縦方向に沿って活動することができることを特徴とする請求項６に記載の携帯型給水器。
【請求項８】
前記円筒部の内壁面に係合ノッチが設けられ、前記取付カバーの外周面に前記係合ノッチに合わせる係合ボスが設けられ、前記取付カバーが前記円筒部に挿入され、前記係合ボスが前記係合ノッチ内に係合されることを特徴とする請求項７に記載の携帯型給水器。
【請求項９】
前記進水室の側壁に第１接続ねじ山が設けられ、前記貯水カップの開口端の外面に前記第１接続ねじ山に合わせる第２接続ねじ山が設けられ、前記貯水カップ又は前記水受け溝の外面に糸掛け孔が設けられることを特徴とする請求項５〜８の何れか１項に記載の携帯型給水器。
【請求項１０】
前記密封板の前記第１取付溝に貼り合わせられる一側にその周縁に沿って第１密封リングが配置され、前記貯水カップの開口端にその周縁に沿って配置される第２密封リングが設けられ、進水室底壁に前記第２密封リングに合わせる密封溝が設けられることを特徴とする請求項５〜８の何れか１項に記載の携帯型給水器。
【請求項１１】
前記水受け溝内に前記第２出水孔と連通する第１管路及び前記第２通風孔と連通する第２管路が設けられ、前記第１管路が前記第１出水孔に挿入され、前記第２管路が前記第１通風孔に挿入されることを特徴とする請求項５〜８の何れか１項に記載の携帯型給水器。
【請求項１２】
前記出水室の底壁に前記取付カバーの軸方向に沿って延伸するガイドリブが固設され、前記スライダーの側面に前記ガイドリブに合わせるガイド槽が設けられ、前記スライダーが前記ガイドリブにおいてガイドされることを特徴とする請求項５〜８の何れか１項に記載の携帯型給水器。
【考案の詳細な説明】
【技術分野】
【０００１】
本考案は、給水器の技術分野に関し、特に、濾過部品及び携帯型給水器に関する。
【背景技術】
【０００２】
ペット給水器は、ペットに水を飲ませる装置である。先行技術に係るペット給水器は、給水鉢のベースに接続される貯水タンク及びモータ送水ポンプに電気的に接続されるタイマー制御ボックスを有し、貯水タンクと給水鉢との間に給水鉢の水位を制御する制御弁及びその送水ポンプに接続される循環水用Ｔ字分流パイプが取り付けられ、Ｔ字分流パイプの１つの分流支路が水濾過鉢につながり、１つの分流支路に給水鉢に水煙り又は循環水を散布可能なノズルが接続される。このようなペット給水器の欠点は、持ちやすくなく、送水ポンプが通電されないと作業できず、室内でしか使用できないことである。生活中に、ペットは、よく外で体を動く必要がある。このようなペット給水器は、屋外での使用の要求を満たすことができないことは明らかである。
【考案の概要】
【考案が解決しようとする課題】
【０００３】
本考案の目的は、濾過部品及び携帯型給水器を提供し、先行技術に係る給水器の持ちやすくないという技術課題を解决することを旨とする。
【課題を解決するための手段】
【０００４】
上記目的を達成するために、本考案の実施例は、濾過部材トレーと、濾過部材と、を備える濾過部品であって、
前記濾過部材トレーは、
若干の濾過穴が設けられる基板と、前記基板の周縁に取り囲んで設けられ上まで延伸し、且つ当該支持壁が前記基板と共に取り囲んで設けられて濾過部材取付室を形成している支持壁と、を含むシャーシーと、
前記シャーシーの上方に設けられ、且つ前記支持壁の頂部に接続されて、前記濾過部材取付室に背向する水平方向に沿って延伸して設けられる支持リングと、
を含み、
前記濾過部材は前記濾過部材取付室内に収納される濾過部品を提供する。
【０００５】
好ましくは、前記基板の中部に孔径が１３ｍｍ〜１７ｍｍである中心孔が設けられ、前記中心孔の内壁において前記中心孔の底縁及び頂縁まで滑らかに繋がる円弧面が形成される。
【０００６】
好ましくは、前記濾過穴が細長い形の構造になり、細長い形の構造になる濾過穴が前記基板から前記支持壁まで延伸し、細長い形の構造になる前記濾過穴の幅が前記基板から前記支持壁の方向へ次第に逓増し、前記支持リングの外端に環状に等距離で配置される若干の凸起が設けられる。
【０００７】
本考案の実施例による濾過部品における上記１つ又は複数の技術案は、少なくとも下記の技術効果の１つを有する。前記濾過部品を使用する時、水が濾過穴から濾過部材に流れて、濾過を達成させる。前記濾過部品は、構造が簡単でコンパクトであるというメリットを有する。
【０００８】
本考案の別の実施例は、開口端を有する貯水カップを含む携帯型給水器において、
前記開口端にかぶせられる前記濾過部品と、
前記貯水カップに取り外し可能に取り付けられ且つ前記開口端にかぶせられ、その内室を進水室及び出水室に分ける仕切り板が内蔵され、側壁に第２取付溝が設けられ、前記仕切り板に前記進水室に向かう第１取付溝が設けられ、前記第１取付溝の溝壁の上、下位に第１通風孔及び第１出水孔が設けられる取付カバーと、
前記仕切り板を摺動して通り抜ける接続柱体、前記接続柱体の一端に固設される密封板、前記接続柱体の他端に固設されるスライダー及び前記接続柱体に嵌設される第１弾性部材を含み、前記第１弾性部材の両端がそれぞれ前記仕切り板及び前記スライダーに当接され、前記密封板が前記第１取付溝内に収納されて前記第１通風孔及び前記第１出水孔を密封し、前記スライダーが前記取付カバーの軸方向に沿って前記仕切り板に近い方向へ摺動する場合、前記接続柱体によって前記密封板を前記第１取付溝から脱離するように推し進め、前記貯水カップ内の水が前記第１出水孔に流れるようにし、前記第１弾性部材がリセットされて前記スライダーを逆方向へ移動するように推し進め、前記スライダーが前記接続柱体及び前記密封板を同方向へ移動するように駆動させ、前記密封板がリセットされて前記第１通風孔及び前記第１出水孔を密封する開閉機構と、
活動が前記第２取付溝内に限定されるボタン部品及び前記ボタン部品と前記第２取付溝底壁との間に限定される第２弾性部材を含み、前記ボタン部品は、押されると、前記スライダーを前記取付カバーの軸方向に沿って前記仕切り板に近い方向へ摺動するように駆動させ、前記ボタン部品が力を受けていない場合、前記第２弾性部材は前記ボタン部品をリセットするように駆動させるボタン機構と、
一端が前記取付カバーに固定して嵌設され且つその表面に水受けノッチが形成され、前記水受けノッチの側壁上、下位に第２通風孔及び第２出水孔が設けられ、前記第２出水孔と前記第１出水孔とが連通し、前記第２通風孔と前記第１通風孔とが連通する水受け溝と、
を更に含む携帯型給水器を提供する。
【０００９】
好ましくは、前記ボタン部品は、前記第２取付溝内に収納されるボタンベース、前記ボタンベースの頂上面に設けられるボタン及び前記ボタンベースの底部に固設される駆動柱体を含み、前記第２弾性部材の両端がそれぞれ前記第２取付溝の底壁及び前記ボタンベース底部に当接され、前記駆動柱体が前記取付スリーブを貫通して且つ前記スライダーに垂直であり、その末端に前記仕切り板に向かう第１斜面が更に設けられ、前記スライダーの上頂部に前記第１斜面に平行である第２斜面が設けられ、前記第１斜面と前記第２斜面とがぴったりと貼り合わされる。
【００１０】
好ましくは、前記水受け溝の接続端に円筒部が形成され、前記円筒部の壁面にボタン孔が設けられ、前記ボタン孔は、前記ボタンを前後に活動させることができるように配置され、前記ボタンはボタン孔から露出し且つ活動が前記円筒部の内壁面と前記ボタンベースの頂上面との間に限定される。
【００１１】
好ましくは、前記ボタンと前記ボタンベースとが摺動的に接続し、前記ボタンの底部にプラグが固設され、前記ボタンベースの頂上面に細長いガイド孔が設けられ、前記プラグが前記ガイド孔に挿入されて前記ガイド孔内でガイドされ、前記ボタンの両側の何れにも弾性係合臂が設けられ、前記第２取付溝の対向する２つの側壁の同一端の何れにも位置限定部が設けられ、他端の何れにも逃げ部が設けられ、前記逃げ部に係合部が形成され、前記ボタンが前記位置限定部の上方に摺動する場合、前記ボタンは前記弾性係合臂によって前記位置限定部の頂部に限定され、前記ボタンが前記逃げ部の上方に摺動する場合、前記弾性係合臂は前記係合部に係合され、前記ボタンは、縦方向に沿って活動することができる。
【００１２】
好ましくは、前記円筒部の内壁面に係合ノッチが設けられ、前記取付カバーの外周面に前記係合ノッチに合わせる係合ボスが設けられ、前記取付カバーが前記円筒部に挿入され、前記係合ボスが前記係合ノッチ内に係合される。
【００１３】
好ましくは、前記進水室の側壁に第１接続ねじ山が設けられ、前記貯水カップの開口端の外面に前記第１接続ねじ山に合わせる第２接続ねじ山が設けられ、前記貯水カップ又は前記水受け溝の外面に糸掛け孔が設けられる。
【００１４】
好ましくは、前記密封板の前記第１取付溝に貼り合わせられる一側にその周縁に沿って第１密封リングが配置され、前記貯水カップの開口端にその周縁に沿って配置される第２密封リングが設けられ、進水室底壁に前記第２密封リングに合わせる密封溝が設けられる。
【００１５】
好ましくは、前記水受け溝内に前記第２出水孔と連通する第１管路及び前記第２通風孔と連通する第２管路が設けられ、前記第１管路が前記第１出水孔に挿入され、前記第２管路が前記第１通風孔に挿入される。
【００１６】
好ましくは、前記出水室の底壁に前記取付カバーの軸方向に沿って延伸するガイドリブが固設され、前記スライダーの側面に前記ガイドリブに合わせるガイド槽が設けられ、前記スライダーが前記ガイドリブにおいてガイドされる。
【考案の効果】
【００１７】
本考案の実施例による携帯型給水器における前記１つ又は複数の技術案は、少なくとも下記の技術効果の１つを有する。前記携帯型給水器を使用する場合、貯水カップ内に水を入れる。ボタン部品は、押されると、スライダーを取付カバーの軸方向に沿って仕切り板に近い方向へ摺動するように駆動させ、スライダーが接続柱体によって密封板を第１取付溝から離脱するように推し進めて、貯水カップ内の水が第１出水孔に流れるようにする。第１出水孔の水が更に第２出水孔によって水受けノッチに流れ、ペットが水受けノッチにおける水を飲む。ボタン部品が力を受けていない場合、第２弾性部材は、ボタン部品をリセットさせるように駆動させる。第１弾性部材がリセットされてスライダーを逆方向へ移動するように推し進め、スライダーが接続柱体及び密封板を同方向へ移動するように駆動させ、密封板がリセットされて第１通風孔及び第１出水孔を密封し、給水を断つ。前記携帯型給水器は、持ちやすく、通電する必要はないというメリットを有し、ペットの戸外の活動での給水に好適に使用される。
【図面の簡単な説明】
【００１８】
本考案の実施例における技術案をより明確に説明するために、以下、実施例又は先行技術を説明するために使用される添付図面を簡単に説明する。下記説明における添付図面は、単に本考案のある実施例であることは明らかである。当業者であれば、創造的な労働をせずに、これらの添付図面に基づいて他の添付図面を取得することができる。
【００１９】
【図１】本考案の実施例による濾過部品の断面図である。
【図２】本考案の実施例による濾過部材トレーの構造模式図である。
【図３】本考案の実施例による濾過部材トレーの別の視角からの構造模式図である。
【図４】本考案の実施例による携帯型給水器の断面図である。
【図５】図４に示すＡ領域の局部拡大図である。
【図６】本考案の実施例による携帯型給水器の透視図である。
【図７】本考案の実施例による携帯型給水器の別の視角からの透視図である。
【図８】本考案の実施例による携帯型給水器の分解図である。
【図９】本考案の実施例による携帯型給水器の別の視角からの分解図である。
【図１０】本考案の実施例によるボタン機構及び開閉機構の構造模式図である。
【図１１】本考案の実施例によるボタン部品の押される状態での作業を示す模式図である。
【図１２】本考案の実施例による取付カバー及びボタン部品の構造模式図である。
【図１３】本考案の実施例によるボタンの背面図である。
【図１４】本考案の実施例によるボタンベースの透視図である。
【考案を実施するための形態】
【００２０】
以下、本考案の実施例を詳しく説明する。前記実施例の例示が添付図面に示される。始終、同一又は類似の番号は、同一又は類似の素子又は同一又は類似の機能を持つ素子を表す。下記添付図面に合わせて説明される実施例は、例示的なものであり、本考案の実施例を解釈するためのものであり、本考案に対する制限として理解されない。
【００２１】
図１〜３に示すように、本考案の実施例は、濾過部材トレー６１０及び濾過部材６２０を含む濾過部品６００を提供する。
【００２２】
前記濾過部材トレー６１０は、シャーシー６１１及び支持リング６１２を含む。前記シャーシー６１１と前記支持リング６１２との接続は、例えば、射出成形、圧縮成形或いは鍛造成形のように、一体成形されてよい。
【００２３】
前記シャーシー６１１は、基板６１１１及び支持壁６１１２を含む。前記支持壁６１１２が前記基板６１１１の周縁に取り囲んで設けられ、上まで延伸する。一般的に、濾過部材トレー６１０が前記携帯型給水器内に取り付けられ、且つ携帯型給水器が垂直に置かれる場合、基板６１１１は水平状態になり、支持壁６１１２は垂直状態になる。また、前記支持壁６１１２と前記基板６１１１とは、共に取り囲んで設けられて濾過部材取付室６１１３を形成する。濾過部材取付室６１１３は、その中に収納される濾過部材６２０に対して位置限定を行うことができる。前記濾過部材６２０が前記濾過部材取付室６１１３内に収納される。前記基板６１１１に若干の濾過穴６１１４が設けられる。濾過穴６１１４は、環状に沿って間隔を均一にあけて設けられてよい。濾過穴６１１４は、規則的な形状或いは不規則な形状であってもよい。
【００２４】
前記支持リング６１２は、前記シャーシー６１１の上方に設けられ、且つ前記支持壁６１１２の頂部に接続されて、前記濾過部材取付室６１１３に反対して水平方向へ延伸して設けられる。濾過部材トレー６１０の取り付けが完成すれば、支持リングは、携帯型給水器内の特定位置に架設されてもよい。
【００２５】
本考案の別の実施例において、図１〜３に示すように、提供される前記濾過部品６００の前記基板６１１１の中部に孔径１３ｍｍ〜１７ｍｍの中心孔６１１５が設けられる。具体的に、中心孔６１１５を設けることで、水を通過させる一方、前記濾過部材トレー６１０を入れて出すように指をその中に伸ばして基板６１１１をコントロールすることができる。このように、濾過部材トレー６１０の取り付けや取り外しを便利にする。具体的に、中心孔６１１５の孔径は、１３ｍｍ、１４ｍｍ、１５ｍｍ、１６ｍｍ或いは１７ｍｍ等であってよい。サイズを前記のように設計すれば、中心孔６１１５の孔径が多すぎて基板６１１１の濾過部材６２０に対する支持が影響されることもないし、小さすぎて指の伸ばしが影響されることもない。これにより、基板６１１１の支持作用を確保すると共に、取り付け・取り外しをしやすいことを達成することができる。
【００２６】
本考案の別の実施例において、図１〜３に示すように、提供される前記濾過部品６００の前記中心孔６１１５の内壁において、前記中心孔６１１５の底縁及び頂縁に滑らかに繋がる円弧面６１１６が形成される。具体的に、中心孔６１１５の内壁に設けられる円弧面６１１６は、面取り構造であり、中心孔６１１５の内壁の底縁の角部構造及び頂縁の角部構造を面取りして弧面を形成することができる。このように、使用者が指を中心孔６１１５内に伸ばして基板６１１１をほじる場合、指と円弧面６１１６との接触はなめらかな接触であり、指の不快感が減少し、使用の快適性が向上する。
【００２７】
本考案の別の実施例において、図１〜３に示すように、提供される前記濾過部品６００の前記濾過穴６１１４は細長い形の構造になる。細長い形の構造になる濾過穴６１１４が前記基板６１１１から前記支持壁６１１２まで延伸する。具体的に、濾過穴６１１４を細長い形の構造にし、支持壁６１１２まで延伸させる。このように、濾過部材トレー６１０全体の有効濾過面積を増やし、水流の濾過効果を向上させることができる。
【００２８】
細長い形の構造になる前記濾過穴６１１４は、幅が前記基板６１１１から前記支持壁６１１２の方向へ次第に逓増する。具体的に、細長い形の構造の濾過穴６１１４の基板６１１１での位置における幅が支持壁６１１２での位置における幅よりも小さく、且つ、基板６１１１から支持壁６１１２への順序に沿って、細長い形の構造の濾過穴６１１４の幅を次第に大きくすることで、水流の濾過速度を向上させる。
【００２９】
細長い形の構造になる前記濾過穴６１１４の長い壁面は、傾斜した曲面である。具体的に、濾過穴６１１４内の長い壁面が傾斜した曲面として設計され、このように、前記傾斜した曲面によってそれを流れる水流をガイドすることで、水流をより順調に流動させ、出水効果を向上させることができる。
【００３０】
本考案の別の実施例において、図１〜３に示すように、提供される前記濾過部品６００の細長い形の構造になる前記濾過穴６１１４の長い壁面は、傾斜した曲面である。具体的に、濾過穴６１１４内の長い壁面が傾斜した曲面として設計され、このように、前記傾斜した曲面によってそれを流れる水流をガイドすることで、水流をより順調に流動させ、出水効果を向上させることができる。
【００３１】
前記支持リング６１２の外端に、環状に等距離で配置される若干の凸起６１２１が設けられる。具体的に、前記凸起６１２１の設置は、支持リング６１２の前記取付カバー２００への係合を便利にし、濾過部材トレー６１０の取り付けの安定性に寄与する。更に、前記凸起６１２１は、４つ、６つ、８つ等で設けられてよい。
【００３２】
本考案の別の実施例において、図１〜３に示すように、提供される前記濾過部品６００の濾過部材６２０は、炭素包み６２１及び前記炭素包み６２１外に被覆される濾過綿６２２を含み、濾過綿６２２が炭素包み６２１を完全に被覆する。このように、濾過綿６２２を流れた水が一部の不純物粒子を濾過し、その後、流水が炭素包み６２１により濾過されるので、嫌な臭いを濾過し、水質の良好な浄化を達成することができる。
【００３３】
濾過綿６２２は、形状が濾過部材取付室６１１３の形状に相応しく、つまり外形が濾過部材トレー６１０の形状に類似である。このように設計すれば、濾過部材６２０が濾過部材取付室６１１３内に取り付けられる場合、濾過綿６２２の安定性がよりよいことを確保することができる。更に、濾過綿６２２の外端は、濾過部材取付室６１１３から露出し、且つその周縁が延伸して支持リング６１２に設けられる位置限定リング６２２１を形成する。位置限定リング６２２１を設けることで、濾過部材６２０が取り付けられた後で完全に濾過部材取付室６１１３内に置かれることはなく、濾過部材６２０を取り出す場合、作用力を前記位置限定リング６２２１に加えることで、前記濾過部材６２０を容易に取り出すことができ、構造の設計が合理的であり、実用性が強い。
【００３４】
本考案の実施例は、携帯型給水器を更に提供する。図４〜１４に示すように、前記携帯型給水器は、開口端１１１を有する貯水カップ１００を含む。前記貯水カップ１００内に、水を保存するための貯水室１１０が形成される。具体的に、前記携帯型給水器は、上記濾過部品６００、取付カバー２００、開閉機構３００、ボタン機構４００及び水受け溝５００を更に含む。
【００３５】
前記濾過部品６００が前記開口端１１１にかぶせられる。前記濾過部品６００は、前記開口端１１１から流れ出す水を濾過して、水質を改善する。
【００３６】
前記取付カバー２００は、前記開口端１１１にかぶせられるように、前記貯水カップ１００に取り外し可能に取り付けられる。前記貯水カップ１００に水を加える場合、前記取付カバー２００を前記貯水カップ１００から取り外して、水を前記貯水室１１０に加える。水を便利に加えることができるというメリットを有する。
【００３７】
前記取付カバー２００内に、その内室を進水室２２０及び出水室２３０に分ける仕切り板２１０が設けられる。前記仕切り板２１０と前記取付カバー２００とは、例えば、射出成形、圧縮成形或いは鍛造成形のような一体成形するように接続されてよい。前記仕切り板２１０に前記進水室２２０に向かう第１取付溝２１１が設けられる。前記第１取付溝２１１の溝壁の上、下位に第１通風孔２１３及び第１出水孔２１２が設けられる。前記取付カバー２００の側壁に第２取付溝２４０が設けられる。
【００３８】
前記開閉機構３００は、前記仕切り板２１０を摺動して通り抜ける接続柱体３１０と、前記接続柱体３１０の一端に固設される密封板３２０と、前記接続柱体３１０の他端に固設されるスライダー３３０と、前記接続柱体３１０に嵌設される第１弾性部材３４０と、を含む。具体的に、前記密封板３２０と前記接続柱体３１０とは、一体成形するように接続してよい。前記スライダー３３０と前記接続柱体３１０とは、ぴったり嵌って取り付けられるように接続してよい。前記第１弾性部材３４０はバネである。前記第１弾性部材３４０の両端がそれぞれ前記仕切り板２１０及び前記スライダー３３０に当接する。前記密封板３２０は、前記第１取付溝２１１内に収納されて、前記第１通風孔２１３及び前記第１出水孔２１２を密封する。前記スライダー３３０が前記取付カバー２００の軸方向に沿って前記進水室２２０に近い方向へ摺動する場合、前記接続柱体３１０によって前記密封板３２０を前記第１取付溝２１１から離脱するように推し進めて、前記貯水カップ１００内の水が前記第１出水孔２１２に流れるようにする。前記第１弾性部材３４０がリセットされて前記スライダー３３０を逆方向へ移動するように推し進め、前記スライダー３３０が前記接続柱体３１０及び前記密封板３２０を同方向へ移動するように駆動させ、前記密封板３２０がリセットされて前記第１通風孔２１３及び第１出水孔２１２を密封し、給水を断つ。
【００３９】
前記ボタン機構４００は、活動が前記第２取付溝２４０内に限定されるボタン部品４１０、及び前記ボタン部品４１０と前記第２取付溝２４０底壁との間に限定される第２弾性部材４２０を含む。前記ボタン部品４１０は、押されると、前記スライダー３３０が前記取付カバー２００の軸方向に沿って前記仕切り板２１０に近い方向へ摺動するように駆動させる。前記ボタン部品４１０が力を受けていない場合、前記第２弾性部材４２０は、前記ボタン部品４１０をリセットするように駆動させる。
【００４０】
前記水受け溝５００は、一端が前記取付カバー２００に固定して嵌設されて、且つその表面に水受けノッチ５１０が形成される。前記水受けノッチ５１０の側壁の上位、下位に、第２通風孔５１２及び第２出水孔５１１が設けられる。前記第２出水孔５１１と前記第１出水孔２１２とが連通する。前記第２通風孔５１２と前記第１通風孔２１３とが連通する。
【００４１】
前記携帯型給水器を使用する場合、貯水カップ１００内に水を入れる。ボタン部品４１０は、押されると、スライダー３３０を取付カバー２００の軸方向に沿って仕切り板２１０に近い方向へ摺動するように駆動させ、スライダー３３０が接続柱体３１０によって密封板３２０を第１取付溝２１１から離脱するように推し進めて、貯水カップ１００内の水が第１出水孔２１２に流れるようにする。第１出水孔２１２の水が更に第２出水孔５１１によって水受けノッチ５１０に流れ、ペットが水受けノッチ５１０における水を飲む。ボタン部品４１０が力を受けていない場合、第２弾性部材４２０は、ボタン部品４１０をリセットさせるように駆動させる。第１弾性部材３４０がリセットされてスライダー３３０を逆方向へ移動するように推し進め、スライダー３３０が接続柱体３１０及び密封板３２０を同方向へ移動するように駆動させ、密封板３２０がリセットされて第１通風孔２１３及び第１出水孔２１２を密封し、給水を断つ。前記携帯型給水器は、持ちやすく、通電する必要はないというメリットを有し、ペットの戸外の活動での給水に好適に使用される。
【００４２】
本考案の別の実施例において、図２、７、８に示すように、提供される携帯型給水器の前記ボタン部品４１０は、前記第２取付溝２４０内に収納されるボタンベース４１１と、前記ボタンベース４１１の頂上面に設けられるボタン４１２と、前記ボタンベース４１１の底部に固設される駆動柱体４１３と、を含む。具体的に、前記ボタンベース４１１と前記駆動柱体４１３とは、一体成形するように接続してよい。前記第２弾性部材４２０の両端がそれぞれ前記第２取付溝２４０の底壁及び前記ボタンベース３１１の底部に当接する。前記駆動柱体４１３は、前記取付スリーブ２３０を貫通し且つ前記スライダー３３０に垂直であり、その末端に更に前記出水室２２０の側面に向かう第１斜面４１３１が設けられる。前記スライダー３３０の上頂部に前記第１斜面４３１１に平行である第２斜面３３１が設けられる。前記第１斜面４３１１と前記第２斜面３３１とがぴったりと貼り合わされる。
【００４３】
本考案の別の実施例において、図８に示すように、提供される携帯型給水器の前記出水室２２０の底壁に、前記取付カバー２００の軸方向に沿って延伸するガイドリブ２２１が固設される。具体的に、前記仕切り板２１０と前記ガイドリブ２２１とは、一体成形するように接続してよい。前記ガイドリブ２２１は、好ましくは２つである。２つの前記ガイドリブ２２１が軸対称して分布する。前記スライダー３３０の２つの側面の何れにも、前記ガイドリブ２２１に合わせるガイド槽３３２が設けられる。前記スライダー３３０が前記ガイドリブ２２１によってガイドされる。上記構造は、構造が簡単であり、接続が安定であるというメリットを有する。
【００４４】
前記ボタン部品４１０の作業原理は、下記の通りである。前記ボタン４１２を押すと、前記ボタンベース４１１及び前記駆動柱体４１３が下へ動き、この場合、前記第２弾性部材４２０は圧縮状態になる。前記駆動柱体４１３は、前記第１斜面４３１１と前記第２斜面３３１との配合関係によって前記スライダー３３０を前記取付カバー２００の軸方向に沿って前記進水室２２０に近い方向へ摺動するように押し出す。この場合、前記第１弾性部材３４０は圧縮状態になる。前記スライダー３３０は、前記接続柱体３１０によって前記密封板３２０を前記第１取付溝２１１から離脱するように推し進めて、前記第１出水孔２１２及び前記第１通風孔２１３を前記貯水室１１０に連通させて、給水機能を達成させる。前記ボタン４１２を放すと、前記第２弾性部材４２０が前記ボタンベース４１１及び前記駆動柱体４１３をリセットさせるように駆動させ、前記第１弾性部材３４０がリセットされて前記スライダー３３０を逆方向へ移動するように推し進め、前記スライダー３３０が前記接続柱体３１０及び前記密封板３２０を同方向へ移動するように駆動させ、前記密封板３２０がリセットされて前記第１通風孔２１３及び第１出水孔２１２を密封し、給水を断つ。上記作業原理のメリットは、操作が簡単である。
【００４５】
本考案の別の実施例において、図６、図９に示すように、提供される携帯型給水器の前記水受け溝５００の接続端に円筒部５２０が形成される。前記円筒部５２０は、開口を有する中空構造である。前記円筒部５２０の壁面にボタン孔５２１が設けられる。前記ボタン孔５２１は、前記ボタン４１２を前後に活動させることができるように配置される。前記ボタン４１２は、ボタン孔５２１から露出し、且つその活動が前記円筒部５２０の内壁面と前記ボタンベース４１１の頂上面との間に限定される。
【００４６】
本考案の別の実施例において、図１０〜１４に示すように、提供される携帯型給水器の前記ボタン４１２と前記ボタンベース４１１とが摺動的に接続する。前記ボタン４１２の底部にプラグ４１２１が固設される。具体的に、前記プラグ４１２１と前記ボタン４１２とは一体成形するように接続する。前記プラグ４１２１は２つである。前記ボタンベース４１１の頂上面に細長いガイド孔４１１１が設けられる。具体的に、前記ガイド孔４１１１の数は前記プラグ４１２１の数と同じである。前記プラグ４１２１が前記ガイド孔４１１１に挿入されて前記ガイド孔４１１１内でガイドされる。前記ボタン４１２の両側の何れにも弾性係合臂４１２２、４１２２’が設けられる。具体的に、前記弾性係合臂４１２２、４１２２’と前記ボタン４１２とは、一体成形するように接続してよい。前記第２取付溝２４０の対向する２つの側壁は、同一の端の何れにも位置限定部２４１、２４１’が設けられ、他端の何れにも逃げ部２４２、２４２’が設けられる。前記逃げ部２４２、２４２’に係合部２４３、２４３’が形成される。
【００４７】
前記ボタン４１２は、２つの作業状態を有する。第１作業状態としては、前記ボタン４１２は、前記位置限定部２４１、２４１’の上方に摺動すると、前記弾性係合臂４１２２、４１２２’によって前記位置限定部２４１、２４１’の頂部に限定される。前記ボタン４１２は、力を受ける場合に下へ動くことはない。
【００４８】
第２作業状態としては、前記ボタン４１２が前記逃げ部２４２、２４２’の上方に摺動すると、前記弾性係合臂４１２２、４１２２’が前記係合部２４３、２４３’に係合され、前記係合部２４３、２４３’が前記弾性係合臂４１２２、４１２２’によって前記ボタン４１２の水平活動を制限する。この場合、前記ボタン４１２は、縦方向に沿って活動して、前記ボタンベース４１１を縦方向で活動するように駆動させる。
【００４９】
前記携帯型給水器を使用しない場合、前記ボタン４１２を前記第１作業状態に設定することで、誤動作による不測の給水がないようにする。前記携帯型給水器によって給水する必要がある場合、前記ボタン４１２を推し進めて摺動させて前記第２作業状態に設定する。前記ボタン４１２を押すと、給水を達成することができ、操作が便利であり、機能が実用的である。
【００５０】
本考案の別の実施例において、図９に示すように、提供される携帯型給水器の前記円筒部５２０の内壁面に係合ノッチ５２２が設けられる。具体的に、前記係合ノッチ５２２は、２つ以上であり、且つ前記円筒部５２０内壁面の円周に均一に分布する。前記取付カバー２００の外周面に、前記係合ノッチ５２２に合わせた係合ボス２５０が設けられる。具体的に、前記係合ボス２５０の数は、前記係合ノッチ５２２の数と同一である。前記取付カバー２００が前記円筒部５２０に挿入され、前記係合ボス２５０が前記係合ノッチ５２２内に係合される。前記取付スリーブ２３０と前記円筒部５２０とは係合し、取り外しや取り付けが便利であるというメリットを有する。
【００５１】
本考案の別の実施例において、図９に示すように、提供される携帯型給水器の前記進水室２２０の側壁に第１接続ねじ山２２２が設けられる。前記貯水カップ１００の開口端の外面に、前記第１接続ねじ山２２２に合わせる第２接続ねじ山１２０が設けられる。前記取付カバー２００は、ねじり込むように前記貯水カップ１００に取り外し可能に取り付けられ、且つ前記貯水室１１０の開口端１１１にかぶせられ、取り外しや取り付けが便利であり、密封性がよいというメリットを有する。
【００５２】
本考案の別の実施例において、図７に示すように、提供される携帯型給水器の前記貯水カップ１００又は前記水受け溝５００の外面に糸掛け孔５５０が設けられる。使用する場合、糸が前記糸掛け孔５５０を通り抜けた後で、糸の首尾が接続して縄囲いを形成する。前記携帯型給水器は、前記縄囲いによって他の物に掛けることができるので、ユーザが前記携帯型給水器を持ちやすい。
【００５３】
本考案の別の実施例において、図５及び図８に示すように、提供される携帯型給水器の前記密封板３２０の前記第１取付溝２１１に貼り合わせる一側に、その周縁に沿って配置される第１密封リング（ｓｅａｌｉｎｇ  ｒｉｎｇ）３２１が設けられる。前記第１密封リング３２１によって、前記密封板３２０と前記第１取付溝２１１との間の密封効果を向上させ、水漏れを防止することができる。
【００５４】
本考案の別の実施例において、図５及び図９に示すように、提供される携帯型給水器の前記貯水カップ１００の開口端に、その周縁に沿って配置される第２密封リング１３０が設けられる。前記進水室２２０の底壁に、前記第２密封リング１３０に合わせる密封溝２２３が設けられる。前記取付カバー２００が前記貯水カップ１００に取り付けられる場合、前記第２密封リング１３０が前記密封溝（ｓｅａｌ  ｇｒｏｏｖｅ）２２３の中に収納される。前記第２密封リング１３０によって前記取付カバー２００と前記貯水カップ１００との間の密封効果を向上させ、水漏れを防止する。
【００５５】
本考案の別の実施例において、図５に示すように、提供される携帯型給水器の前記水受け溝５００内に、前記第２出水孔５１１と連通する第１管路５３０及び前記第２通風孔５１２と連通する第２管路５４０が設けられる。前記第１管路５３０が前記第１出水孔２１２の中に挿入される。前記第２管路５４０が前記第１通風孔２１３の中に挿入される。具体的に、前記第２管路５４０が前記駆動柱体４１３を通り抜ける。前記駆動柱体４１３に逃げ孔４１３２が設けられる。前記第１管路５３０及び前記第２管路５４０は、連通の作用を果たし、密封効果がよいというメリットを有する。
【００５６】
上記は単に本考案の好適な実施例であり、本考案を制限するためのものではない。本考案の精神や原則内での如何なる修正や、等同な取り替え、改善等も、本考案の保護範囲に含まれるべきである。
【符号の説明】
【００５７】
６１１  シャーシー
６１２  支持リング
６１１２  支持壁
６１１１  基板
６１１５  中心孔
６２２１  位置限定リング
６２２  濾過綿
６２１  炭素包み
６２０  濾過部材
６１１４  濾過穴
６１１６  円弧面
６１１３  濾過部材取付室
６１２１  凸起
６１１４  濾過穴
６００  濾過部品
５１０  水受けノッチ
Ａ  領域
５００  水受け溝
４１２  ボタン
４１３１  斜面
５３０  第１管路
２１２  第１出水孔
３２１  第１密封リング
３３１  第２斜面
６２０  濾過部材
２１０  仕切り板
１００  貯水カップ
５５０  糸掛け孔
１２０  第２接続ねじ山
１１０  前記貯水室
４００  ボタン機構
４１０  ボタン部品
４２０  第２弾性部材
４１３  駆動柱体
２４０  前記第２取付溝
２００  取付カバー
５２１  ボタン孔
５１２  第２通風孔
５１１  第２出水孔
３３２  ガイド槽
２２１  ガイドリブ
１１１  開口端
２５０  係合ボス
５４０  第２管路
５２２  係合ノッチ
６１０  濾過部材トレー
１３０  第２密封リング
４１３２  逃げ孔
３１０  接続柱体
３３０  スライダー
３４０  第１弾性部材
３００  開閉機構
４１１  ボタンベース
２１３  第１通風孔
３２０  密封板
２４２、２４２’  逃げ部
２４３、２４３’  係合部
２４１、２４１’  位置限定部
４１２２、４１２２’  弾性係合臂
４１１１  ガイド孔
【図１】
0003223231.tif 000003
【図２】
0003223231.tif 000004
【図３】
0003223231.tif 000005
【図４】
0003223231.tif 000006
【図５】
0003223231.tif 000007
【図６】
0003223231.tif 000008
【図７】
0003223231.tif 000009
【図８】
0003223231.tif 000010
【図９】
0003223231.tif 000011
【図１０】
0003223231.tif 000012
【図１１】
0003223231.tif 000013
【図１２】
0003223231.tif 000014
【図１３】
0003223231.tif 000015
【図１４】
0003223231.tif 000016